(57)【特許請求の範囲】
【請求項１】
長方形の外壁材を建物の下地面に固定する外壁材留め金具において、該外壁材留め金具１が矩形状の一枚板より成形されており、該一枚板は前記下地面から下地側面に渡って取り付けるＬ字状に屈曲されていて、一方の屈曲部が本体部２とされ、他方の屈曲部が複数の釘穴４を設けて固定部３とされ、前記本体部２には、その一部を打ち抜いて本体部２より連設した状態の板片を本体部２の前記下地面に対面しない面側に屈曲延出させて上下に所要幅の溝５ｃ，５ｄを有する左右対称或いは回転対称形状の外壁材支持部５が設けられていると共に本体部２の三側縁部を前記本体部２の前記下地面に対面する面側に同一長さ屈曲延出させて前記下地面に当接する足部６，７，８が設けられて前記本体部２の上下両側縁にて互いに平行に相対した当該足部７，８と前記本体部２の他側縁にて前記固定部３と平行に相対した当該足部６とが直角に位置付けられていることを特徴とする外壁材留め金具。
【発明の詳細な説明】
【０００１】
【発明の属する技術分野】
本発明は、外壁材を建物の下地面に固定する外壁材留め金具に関し、特に、建物の下地側面に止着して外壁材を固定する外壁材留め金具に関するものである。
【０００２】
【従来の技術】
外壁材を建物の下地面に固定するにあたって、下地面の正面から釘打ち施工できない場合に使用される外壁材留め金具として、実開昭６３−１４７０３号公報には、図８に示すように、片方が直角に屈曲され、該屈曲部を下地側面へ螺着する留付け金具が開示されている。また、実開平１−６８４５６号公報には、図９に示すように、取付け金具の背面中央に下地側面へ螺着するＬ形片を設けた取付け金具が開示されている。さらに、実開平２−７９７３２号公報には、間柱の側面に貫通孔を有する胴縁を取り付け、該胴縁に螺着する取付け金具が開示されている。
【０００３】
【発明が解決しようとする課題】
前記実開昭６３−１４７０３号公報に開示されている留付け金具は、下地面の左側面又は右側面のいずれか一方の側面のみに釘打ち施工ができる形状となっているため、左右いずれの側面にも施工するためには、左側面用と右側面用の二種類の形状（左右対称形状）の留付け金具を用意しなければならないという問題点があった。
【０００４】
また、前記実開平１−６８４５６号公報に開示されている取付け金具は、背面中央にＬ形片が設けられているので下地面の左右いずれの側面にも釘打ち施工ができるが、該取付け金具を製造する際に、Ｌ形片の溶接等による取付工程を必要とし、製造コストを上げる要因となっていた。
【０００５】
さらに、上記各金具は、いずれも下地面に面接触によって当接されるため、金具が下地面の不陸に影響され、安定させて止着することができないという問題点や下地面と外壁材との間に隙間を設けるためには別途スペーサを使用しなければならず、特に、前者の留付け金具においてスペーサを使用した場合、外壁材を金具により押さえることができずがたつきが生じるという問題点があった。
【０００６】
また、前記実開平２−７９７３２号公報に開示されている取付け金具は、胴縁を必要とするため、該取付け金具を直接下地側面に螺着することはできないという問題点があった。
【０００７】
本発明は、前記問題点の解決を技術的課題とし、プレス加工により低コストで大量に製造することができ、一種類の外壁材留め金具で下地面の不陸に影響されることなく左右いずれの下地側面にも止着することができる外壁材留め金具を提供することにより前記技術的課題を達成したものである。
【０００８】
【課題を解決するための手段】
前記技術的課題は、次の通りの本発明によって解決できる。
【０００９】
即ち、本発明に係る外壁材留め金具は、図１〜３に示すように、長方形の外壁材を建物の下地面に固定する外壁材留め金具において、該外壁材留め金具１が矩形状の一枚板より成形されており、該一枚板は前記下地面から下地側面に渡って取り付けるＬ字状に屈曲されていて、一方の屈曲部が本体部２とされ、他方の屈曲部が複数の釘穴４を設けて固定部３とされ、前記本体部２には、その一部を打ち抜いて本体部２より連設した状態の板片を本体部２の前記下地面に対面しない面側（以下、「前面側」という。）に屈曲延出させて上下に所要幅の溝５ｃ，５ｄを有する左右対称或いは回転対称形状の外壁材支持部５が設けられていると共に本体部２の三側縁部を前記本体部２の前記下地面に対面する面側（以下、「背面側」という。）に同一長さ屈曲延出させて前記下地面に当接する足部６，７，８が設けられて前記本体部２の上下両側縁にて互いに平行に相対した当該足部７，８と前記本体部２の他側縁にて前記固定部３と平行に相対した当該足部６とが直角に位置付けられている。
【００１０】
【発明の実施の形態】
以下、本発明の実施の形態を図面に基づき説明する。
【００１１】
実施の形態１．
図１は本発明に係る外壁材留め金具を図示する斜視図であり、図２及び図３は図１に示す外壁材留め金具の使用状態を図示する斜視図である。
これらの図において、１は矩形状の一枚板からプレス加工によって成形した外壁材留め金具であり、２はＬ字状に屈曲された一枚板の一方の屈曲部によって形成された本体部、３はＬ字状に屈曲された一枚板の他方の屈曲部によって形成された本体部２に連設する固定部、４は固定部３に設けた複数の釘穴、５は本体部２の略中央を逆凹形状に打ち抜いて本体部２より連設した状態の板片を、本体部２前面側に屈曲延出させ、該板片の前縁中央部５ａを所要長さ残して前縁両端部５ｂ，５ｂを上向きＬ字状に屈曲して本体部２前面側に所要幅の上向溝５ｃを形成し、所要長さ残した前記前縁中央部５ａを下向きＬ字状に屈曲して本体部２前面側に所要幅の下向溝５ｄを形成してなる外壁材支持部、６は固定部３と相対する本体部２の他側縁を本体部２背面側に所要幅屈曲させた下地面に当接する第一の足部、７，８はそれぞれ本体部２の上下両側縁部の略中央の所要長さを前記第一の足部６と同じ幅で同じ方向に屈曲した下地面に当接する第二，第三の足部である。
【００１２】
また、図２及び図３において、９は建物の下地、９ａは下地面、９ｂは下地９の一側面、９ｃは下地９の他側面であり、１０は外壁材、１０ａは外壁材１０の雌実部、１０ｂは外壁材１０の雄実部であり、１１は釘である。
【００１３】
次に、取り付け方法について説明する。
先ず、外壁材１０の雄実部１０ｂに外壁材留め金具１の下向溝５ｄを嵌め込み、図２に示すように、外壁材留め金具１の足部６，７，８を下地面９ａに、また、固定部３を下地一側面９ｂに当接させて、釘１１により外壁材留め金具１を下地９に釘着する。
【００１４】
続いて、下地９に釘着した外壁材留め金具１の上向溝５ｃに外壁材１０の雌実部１０ａを差し込む。
【００１５】
外壁材留め金具１を下地一側面９ｂ側と反対側の下地他側面９ｃに釘着しなければならないときには、図３に示すように、外壁材留め金具１を上下逆にして、外壁材１０の雄実部１０ｂに下向きとなった外壁材留め金具１の上向溝５ｃを嵌め込み、固定部３を下地他側面９ｃに当接させて、釘１１により外壁材留め金具１を下地９に釘着し、上向きとなった外壁材留め金具１の下向溝５ｄに外壁材１０の雌実部１０ａを差し込むようにする。
【００１６】
外壁材留め金具１の本体部２前面側には左右対称の外壁材支持部５が設けられているので、一種類の外壁材留め金具１によって下地側面の左右いずれの側面へも取り付けることができる。
【００１７】
また、外壁材留め金具１には所要長さの足部６，７，８が設けられているので、外壁材留め金具１の本体部２は下地面９ａに面接触することはなく、外壁材留め金具１を下地面９ａの不陸に影響されずに止着することができる。さらに、外壁材留め金具１の本体部２は足部６，７，８の長さ分だけ、下地面９ａより浮いた状態となり、外壁材留め金具１の本体部２と下地面９ａとの間に湿気を逃がす隙間を形成することができるので、通気工法に適したものとなる。
【００１８】
外壁材留め金具１は一枚板により各部が形成されているので、ステンレス板、鋼板、アルミニウム板等をプレス機にかけてＮＣ加工することにより、単時間に大量に製造することができる。
【００１９】
なお、所要長さ残した前縁中央部５ａの長さは、外壁材１０を強固に固定できる硬度が得られるものであればよい。
【００２０】
また、上向溝５ｃ、下向溝５ｄの所要幅とは、外壁材１０の雌実部１０ａ、雄実部１０ｂを嵌め込むことができる溝幅をいう。
【００２１】
また、足部６，７，８の所要長さは、下地面９ａと外壁材１０との間にどれほどの間隙を形成するかによってきまるものであり、足部６，７，８の幅は本実施の形態に限定されることなく、任意の幅とすることができる。
【００２２】
さらに、釘穴４には釘１１を使用したが、その他、ネジ釘等釘穴４に通して外壁材留め金具１を下地９に止着できるものであればよい。
【００２３】
実施の形態２．
図４は外壁材支持部の形状を図示する外壁材留め金具の斜視図であり、本実施の形態では、前記第一の実施の形態の外壁材支持部５を回転対称形状としたものであり、上・下向溝５ｃ，５ｄを形成する板片の前縁部が同一長さで上下に交互に折り曲げられている。
【００２４】
実施の形態３．
図５及び図６は外壁材支持部の形状を図示する外壁材留め金具の正面図であり、本実施の形態では、前記第一の実施の形態の外壁材支持部５を回転対称形状としたものであり、図５に示す外壁材支持部５は上・下向溝５ｃ，５ｄが離れて設けられており、図６に示す外壁材支持部５は上・下向溝５ｃ，５ｄを１組として左右に離れて設けられている。
【００２５】
【実施例】
以下、本発明に係る外壁材留め金具の実施例を図１に基づき説明する。
【００２６】
厚さ１．０ｍｍ  の鋼板から縦・横６０ｍｍ×１００ｍｍ  の矩形の一枚板を得て、該一枚板の縦辺である一側縁部を３５ｍｍ幅に直角に折り曲げて直径３．５  ｍｍの釘穴４を１箇所、直径２．６ｍｍ  の釘穴４を３  箇所開けて固定部３を形成し、他側縁部を同じく５ｍｍ幅に直角に折り曲げて長さ５ｍｍの第一の足部６を形成し、残った幅６０ｍｍを本体部２とした。
【００２７】
本体部２の上下側縁部の両端からそれぞれ１５ｍｍの位置に、深さ５ｍｍの切り込みを付けて第一の足部６と同じように折り曲げ、幅２７ｍｍ、長さ５ｍｍの第二、第三の足部７，８を形成した。
【００２８】
本体部２略中央を縦１４ｍｍ、横４６ｍｍの逆凹形状に打ち抜き、横縁両端から１０ｍｍの位置に深さ６ｍｍの切り込みを付けて形成した縦１３．５ｍｍ、横４３ｍｍの板片を、本体部２前面側に直角に折り曲げ、幅７．５ｍｍ  を残して板片の前縁両端部５ｂ，５ｂを前記切り込みの深さ６ｍｍの位置から上方に折り曲げ、前縁中央部５ａを同じく前記切り込み深さの６ｍｍの位置から下方に折り曲げて幅７．５ｍｍ  、深さ６ｍｍの溝部５ｃ，５ｄを上下に形成し、外壁材支持部５とした。
【００２９】
縦・横６０ｍｍ×１００ｍｍ  の矩形の一枚板を以上のように成形した後、ユニクロムメッキを施して外壁材留め金具１とした。
【００３０】
外壁材は、ＪＩＳ  Ａ  ５４２２で規定されているサイディングを使用し、幅・長さ・厚さ４６８．５ｍｍ  ×３０３０ｍｍ×１５ｍｍの繊維補強セメント・けい酸カルシウム板からなる図２に示す横張りタイプのものを用いた。
【００３１】
サイディング１０の雌実部１０ａには、幅１．３ｍｍ  、深さ７ｍｍの溝が形成されており、雄実部１０ｂは厚さ７．２ｍｍ  、奥行き１３．５ｍｍを残して段形状となっている。
【００３２】
サイディング１０を建物の下地面に固定するには、図２に示すように、外壁材支持部５の前縁両端部５ｂ，５ｂにサイディング１０の雌実部１０ａに形成されている幅１．３ｍｍ  、深さ７ｍｍの溝を嵌め込み、外壁材支持部５の下向溝５ｄにサイディング１０の雄実部１０ｂを嵌め込む。
【００３３】
なお、外壁材留め金具１は９０ｍｍ×９０ｍｍの主柱（下地）の下地面９ａに取り付けたが、図７に示すように、４５ｍｍ×９０ｍｍの間柱１２の幅４５ｍｍの下地面に取り付ける場合には、外壁材留め金具１の第一の足部６は間柱１２の下地面から食み出すが、第二、第三の足部７，８が下地面に当接するので、外壁材留め金具１を固定することができる。
【００３４】
【発明の効果】
以上説明した通り、本発明によれば、外壁材留め金具の外壁材支持部を左右対称或いは回転対称に形成したので、下地面の左右いずれの側面にも止着することができる。また、足部を形成したので、外壁材留め金具を下地面の不陸に影響されることなく止着することができ、外壁材を建物の下地面に固定した際には外壁材と下地面との間に隙間が形成されるので、通気工法に適したものとなる。さらに、外壁材留め金具は一枚板で成形できる形状となっているので、該外壁材留め金具をプレス加工により大量に製造することができる。
【００３５】
従って、本発明の産業上利用性は非常に高いといえる。
【図面の簡単な説明】
【図１】本発明に係る外壁材留め金具を図示する斜視図である。
【図２】図１に示す外壁材留め金具の使用状態を図示する斜視図である。
【図３】図１に示す外壁材留め金具の使用状態を図示する斜視図である。
【図４】本発明に係る外壁材留め金具の外壁材支持部を図示する斜視図である。
【図５】本発明に係る外壁材留め金具の外壁材支持部を図示する正面図である。
【図６】本発明に係る外壁材留め金具の外壁材支持部を図示する正面図である。
【図７】図１に示す外壁材留め金具の使用状態を図示する斜視図である。
【図８】従来の留付け金具を図示する斜視図である。
【図９】従来の取付け金具を図示する斜視図である。
【符号の説明】
１  外壁材留め金具                      ２  本体部
３  固定部                              ４  釘穴
５  外壁材支持部                        ５ａ  前縁中央部
５ｂ  前縁端部                          ５ｃ  上向溝
５ｄ  下向溝                            ６  第一の足部
７  第二の足部                          ８  第三の足部
９  下地                                ９ａ  下地面
９ｂ  下地一側面                        ９ｃ  下地他側面
１０  外壁材（サイディング）              １０ａ  雌実部
１０ｂ  雄実部                            １１  釘
１２  間柱
【図１】
0003619912.tif 000002
【図２】
0003619912.tif 000003
【図３】
0003619912.tif 000004
【図４】
0003619912.tif 000005
【図５】
0003619912.tif 000006
【図６】
0003619912.tif 000007
【図７】
0003619912.tif 000008
【図８】
0003619912.tif 000009
【図９】
0003619912.tif 000010